(57)【要約】【課題】複数の表示装置の間で自由に表示物を移動させて表示することのできる表示システムを提供する。【解決手段】本発明の表示システム１は、タッチパネルを有する複数の表示装置２Ａ、２Ｂを備えており、表示装置２Ａ、２Ｂのタッチパネル上に表示される表示物には、他の表示装置へ移動させるときに接触する移動判定領域１２が予め設定されており、この移動判定領域への接触操作が検出されると、表示物を他の表示装置へ移動させて表示することを特徴とする。【選択図】図１
2012243073.tif 000002
【特許請求の範囲】
【請求項１】
タッチパネルを有する表示装置を複数備えた表示システムであって、
前記表示装置のタッチパネル上に表示される表示物には、他の表示装置へ移動させるときに接触する移動判定領域が予め設定されており、前記移動判定領域への接触操作が検出されると、前記表示物を他の表示装置に移動させて表示することを特徴とする表示システム。
【請求項２】
前記表示物は、前記他の表示装置へ移動可能であるか否かが予め設定されており、移動可能である場合には移動可能であることを示す移動可能表示を表示していることを特徴とする請求項１に記載の表示システム。
【請求項３】
前記複数の表示装置が配置されている位置は、前記表示装置に表示される登録画面上においてタッチパネルで操作することによって設定されることを特徴とする請求項１または請求項２に記載の表示システム。
【請求項４】
前記移動可能表示は、前記他の表示装置が配置されている方向を向いた矢印の表示を含んでおり、前記登録画面上で前記他の表示装置の配置が変更されると、前記矢印の方向も変更されることを特徴とする請求項３に記載の表示システム。
【発明の詳細な説明】
【技術分野】
【０００１】
本発明は、タッチパネルを有する表示装置を複数備えた表示システムに関する。
【背景技術】
【０００２】
近年では車両にカーナビゲーションシステムやオーディオ装置などのさまざまな車載機器が搭載されるようになり、それらの車載機器を操作するために表示装置が搭載されている。車載機器は表示装置のタッチパネルを介して操作されるので、従来では表示画面をユーザーが好みに合わせてカスタマイズすることが提案されており、その一例として特許文献１が開示されている。
【０００３】
特許文献１に開示された表示装置では、画面上に表示されている表示物の位置を、ユーザーがタッチパネルで自由に移動させることが提案されている。
【先行技術文献】
【特許文献】
【０００４】
【特許文献１】特開平１０−２７４５３８号公報
【発明の概要】
【発明が解決しようとする課題】
【０００５】
しかしながら、上述した特許文献１に開示された表示装置では、１つの表示装置の表示画面内で表示物を自由に移動させることはできるが、表示装置が複数ある場合には各表示装置を跨って表示物を移動させることはできなかった。
【０００６】
そこで、本発明は、上述した実情に鑑みて提案されたものであり、複数の表示装置の間で自由に表示物を移動させて表示することのできる表示システムを提供することを目的とする。
【課題を解決するための手段】
【０００７】
本発明に係る表示システムは、タッチパネルを有する複数の表示装置を備えており、表示装置のタッチパネル上に表示される表示物には、他の表示装置へ移動させるときに接触する移動判定領域が予め設定されており、この移動判定領域への接触操作が検出されると、表示物を他の表示装置に移動させて表示することを特徴とする。
【発明の効果】
【０００８】
本発明に係る表示システムによれば、タッチパネル上に表示される表示物に、他の表示装置へ移動させるときに接触する移動判定領域を予め設定しておき、この移動判定領域への接触が検出されると、表示物を他の表示装置へ移動させて表示するので、複数の表示装置の間で自由に表示物を移動させて表示することができる。これにより、ユーザーは簡単に表示画面を自分好みにカスタマイズすることができるので、操作性や視認性の高い表示システムを容易に実現することができる。
【図面の簡単な説明】
【０００９】
【図１】本発明を適用した一実施形態に係る表示システムの構成を示すブロック図である。
【図２】本発明を適用した一実施形態に係る表示システムの表示装置の配置を説明するための図である。
【図３】本発明を適用した一実施形態に係る表示システムにおける表示装置の登録画面を示す図である。
【図４】本発明を適用した一実施形態に係る表示システムにおける表示画面の一例を示す図である。
【図５】本発明を適用した一実施形態に係る表示システムにおける表示物の移動処理の手順を示すフローチャートである。
【図６】本発明を適用した一実施形態に係る表示システムにおける表示画面の一例を示す図である。
【図７】本発明を適用した一実施形態に係る表示システムにおける表示物の移動処理の結果を説明するための図である。
【発明を実施するための形態】
【００１０】
以下、本発明を適用した一実施形態について図面を参照して説明する。
【００１１】
［表示システムの構成］
図１は本実施形態に係る表示システムの構成を示すブロック図である。
【００１２】
図１に示すように、本実施形態に係る表示システム１は、タッチパネルを有する表示装置２Ａ、２Ｂと、表示装置２Ａ、２Ｂのタッチパネルから入力される情報に基づいて表示画面上の表示を制御する制御部３と、表示装置２Ａ、２Ｂ上での表示を制御するための情報やカーナビゲーションシステムで使用される情報を記憶した記憶部４とを備えている。尚、本実施形態に係る表示システム１は単独のシステムとして構成してもよいが、カーナビゲーションシステムに組み込まれて、カーナビゲーションシステムの表示を制御するためのシステムとして機能させてもよい。
【００１３】
ここで、表示装置２Ａ、２Ｂは、タッチパネルを装備した通常の表示装置であって、タッチパネルへの接触を検出するタッチパネル入力部２１Ａ、２１Ｂと、表示画面に画像を表示する画像表示部２２Ａ、２２Ｂと、表示画面に画像を表示するための制御を行う画面制御部２３Ａ、２３Ｂとを備えている。本実施形態では、図２に示すように表示装置２Ａ、２Ｂが車室内に上下に配置されている場合を一例として説明するが、配置の仕方は自由に変更することができる。また、表示装置の数は２つである必要はなく、３つ以上であってもよい。図２では、メインで操作される表示装置２Ａを、サブで操作される表示装置２Ｂの上方に配置した場合を示しており、より頻繁に操作される表示装置２Ａを、サブで操作される表示装置２Ｂよりも運転者の手元に近くなるように配置したので、運転者にとって操作し易い配置となっている。
【００１４】
制御部３は、マイクロコンピュータ等から構成され、表示装置２Ａ、２Ｂに対して通常の表示制御を行うとともに、以下で説明する表示物の移動処理を実行する。制御部３は、各表示装置２Ａ、２Ｂに独立したコンテンツや共通のコンテンツ、関連したコンテンツを表示し、各機能を選択するためのメニューを表示装置２Ａ、２Ｂに表示する。
【００１５】
記憶部４は、表示装置２Ａ、２Ｂへの表示を制御するための情報を記憶したメモリ４１の他にカーナビゲーションシステムにおける表示で使用される地図データベース４２、施設データベース４３を備えている。
【００１６】
［表示システムの設定］
本実施形態に係る表示システム１では、表示装置２Ａ、２Ｂが配置されている位置を図３に示す登録画面上においてタッチパネルで操作することによって設定することができる。例えば、図３に示すように現在上下に配置されている表示装置２Ａ、２Ｂを左右に配置変更したい場合には、登録画面上で表示装置２Ａ、２Ｂをそれぞれ指で押圧して移動させることによって、配置変更後の表示装置２Ａ、２Ｂの位置を登録画面上で設定することができる。このとき登録画面上に表示されている表示装置２Ａ、２Ｂの位置は自由に移動させることができるので、上下左右などの決まった配置だけではなく、斜め方向などの自由な配置を設定することができる。こうして登録画面上での設定が完了すると、制御部３は表示装置２Ａ、２Ｂの配置を正確に認識することができる。
【００１７】
次に、表示装置２Ａ、２Ｂのタッチパネル上に表示される各表示物の設定について説明する。図４は、表示装置２Ａ、２Ｂに表示される表示画面の一例を示す図である。
【００１８】
図４に示すように、表示画面には表示物の一例としてメニュー表示１０Ａ〜１０Ｈが表示されている。これらのメニュー表示１０Ａ〜１０Ｈは、予め他の表示装置へ移動可能であるか否かが設定されており、移動可能なメニュー表示には移動可能であることを示す移動可能表示１１が表示されている。図４では、メニュー表示１０Ｃ〜１０Ｈが他の表示装置へ移動可能であり、メニュー表示１０Ａ、１０Ｂが移動できない表示である。例えば、頻繁に操作する必要のあるメニュー表示はメインの表示装置である表示装置２Ａから移動できないように設定されている。
【００１９】
図４に示すように、移動可能表示１１は他の表示装置が配置されている方向を向いた矢印の表示を含んでいる。図４では、表示装置２Ｂの表示画面を示しており、表示装置２Ａが上方に位置しているので、移動可能表示１１の矢印はすべて上を向いている。したがって、表示装置２Ａが左側にある場合には矢印も左方向を向くことになる。また、他の表示装置が複数ある場合には矢印の数も他の表示装置の数だけ表示されることになる。この矢印の表示は、上述した図３の登録画面で表示装置２Ａ、２Ｂの配置が変更されると、それに応じて矢印の向きも変更される。
【００２０】
さらに、タッチパネル上に表示される表示物には、他の表示装置へ移動させるときにユーザーが接触するための移動判定領域が予め設定されており、この移動判定領域への接触操作が検出されると、表示物は他の表示装置へ移動される。図４のメニュー表示では、移動可能表示１１が表示されている領域と同じ領域に移動判定領域１２が設定されているので、移動可能表示１１の部分をユーザーが接触操作することによって、メニュー表示を他の表示装置へ移動させることができる。また、他の表示装置へ移動させずに現在表示されている表示画面内でメニュー表示を移動させる場合には、メニュー表示の移動判定領域１２以外の部分を指で押圧して移動させれば、メニュー表示を現在の表示画面内で移動させることができる。
【００２１】
［表示物の移動処理の手順］
次に、本実施形態に係る表示システム１による表示物の移動処理の手順を図５のフローチャートを参照して説明する。
【００２２】
図５に示すように、まずステップＳ１０１において、制御部３は表示装置２Ａ、２Ｂのタッチパネル上に表示されている表示物の移動判定領域１２に対して接触操作が行われたか否かを監視する。このとき表示物に対して行われる接触操作とは、表示物の移動判定領域１２を指で押圧してから移動させたい表示装置の方向へ指を移動させる操作である。また、単に移動判定領域１２を指で押すだけであってもよい。
【００２３】
そして、制御部３は、接触操作が行われない場合には継続して接触操作の有無を監視し、接触操作が行われた場合にはステップＳ１０２に移行して接触操作が表示物の移動を指示するものであるか否かを判断する。例えば、接触操作が移動判定領域１２を指で押圧したものの表示装置がない方向へ指を移動させる操作であった場合には、表示物の移動を指示するものではないと判断してステップＳ１０１へ戻る。一方で、接触操作が移動判定領域１２を指で押圧して表示装置の方向へ指を移動させる操作であった場合には、表示物の移動を指示するものであると判断してステップＳ１０３へ移行する
ステップＳ１０３では表示物の移動指示に応じて、図６に示すように制御部３が指で押圧された表示物、図６ではメニュー表示１０Ｄを、表示装置２Ｂの表示画面上において表示装置２Ａのある上方へ移動させる。そして、表示装置２Ｂの表示画面上からメニュー表示１０Ｄを消去したら、次にステップＳ１０４において制御部３はメニュー表示１０Ｄを表示装置２Ａに移動して表示する。
【００２４】
このようにしてタッチパネル上に表示されている表示物を他の表示装置へ移動させると、本実施形態に係る表示システム１による表示物の移動処理は終了する。そして、このような移動処理を繰り返し行うことによって、ユーザーは複数の表示装置の表示画面を自分好みにカスタマイズして操作性や視認性の高い表示システムを容易に実現することができる。
【００２５】
例えば、図７に示すように表示装置２Ｂのメニュー画面７０に表示されているメニュー表示７１を表示装置２Ａに移動し、次に表示装置２Ｂに別のメニュー画面７２を表示してメニュー表示７３を表示装置２Ａに移動する。このような操作を繰り返し行うことによって表示装置２Ａにはユーザーが必要としている表示物が表示されることになり、ユーザーにとって操作性や視認性の高い表示システムを容易に実現することができる。
【００２６】
［実施形態の効果］
以上詳細に説明したように、本実施形態に係る表示システム１によれば、タッチパネル上に表示される表示物に移動判定領域１２を予め設定しておき、移動判定領域１２への接触操作が検出されると、表示物を他の表示装置へ移動させて表示するので、複数の表示装置の間で自由に表示物を移動させて表示することができる。これにより、ユーザーは簡単に表示画面を自分好みにカスタマイズすることができるので、操作性や視認性の高い表示システムを容易に実現することができる。
【００２７】
また、本実施形態に係る表示システム１によれば、表示物が他の表示装置へ移動可能であるか否かが予め設定されており、移動可能である場合には移動可能であることを示す移動可能表示１１を表示しているので、ユーザーは移動可能であるか否かを容易に認識することができ、操作性を向上させることができる。
【００２８】
さらに、本実施形態に係る表示システム１によれば、複数の表示装置が配置されている位置を、登録画面上においてタッチパネルで操作して設定するので、直感的な操作で容易に表示装置の配置を設定することができる。
【００２９】
また、本実施形態に係る表示システム１によれば、移動可能表示１１に他の表示装置が配置されている方向を向いた矢印の表示が含まれているので、ユーザーは表示物が移動する方向を一目で認識することができる。また、登録画面上で他の表示装置の配置が変更された場合には移動可能表示１１の矢印の方向も変更されるので、設定変更を容易に表示物に反映させることができる。
【００３０】
なお、上述の実施形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。
【符号の説明】
【００３１】
１  表示システム
２Ａ、２Ｂ  表示装置
３  制御部
４  記憶部
１１  移動可能表示
２１Ａ、２１Ｂ  タッチパネル入力部
２２Ａ、２２Ｂ  画像表示部
２３Ａ、２３Ｂ  画面制御部
４１  メモリ
４２  地図データベース
４３  施設データベース
【図１】
2012243073.tif 000003
【図２】
2012243073.tif 000004
【図３】
2012243073.tif 000005
【図４】
2012243073.tif 000006
【図５】
2012243073.tif 000007
【図６】
2012243073.tif 000008
【図７】
2012243073.tif 000009